(57)【特許請求の範囲】
【請求項１】
インクジェット記録手段を用いて記録領域に配される記録媒体に記録を行うインクジェット記録装置において、
前記インクジェット記録手段と対向する位置に設けられ、前記インクジェット記録手段と対向する面に記録媒体搬送方向と同方向に伸びるように設けられた複数のリブで形成される凹凸によって、前記記録媒体搬送方向と交差する方向に前記記録媒体に凹凸形状を付与するプラテンと、
前記記録領域より前記リブの間の凹部の記録媒体搬送方向上流側に前記プラテン側へ向けて設けられ、搬送される記録媒体の剛性に応じて弾性変形する弾性部材と、
を有し、
搬送される記録媒体が普通紙のときは、前記弾性部材で該記録媒体を前記凹部に付勢することによりインクジェット記録により膨潤して発生する波打ち形状が前記インクジェット記録手段側へ浮き上がることを防止し、搬送される記録媒体が専用紙のときは、前記弾性部材が弾性変形することにより該記録媒体の波打ち量を小さくすることを特徴とするインクジェット記録装置。
【請求項２】
搬送手段によって記録媒体を搬送し、記録手段の記録領域にて記録を行う記録装置において、
記録媒体の搬送方向に伸びる凸部が搬送方向と交差する方向に複数設けられ、記録手段の対向位置において記録媒体を案内支持するプラテンと、
記録領域よりも上流側で且つ記録媒体の記録面側において記録媒体をガイドしその上面規制を行うガイド部材と、
前記ガイド部材の搬送方向と交差する方向に複数取り付けられ、記録媒体を前記プラテン側に押さえるように該記録媒体の剛性に応じて弾性変形する弾性部材とを有し、
前記弾性部材を前記プラテンの凸部間の対向位置に且つ前記プラテンの凸部間に入り込むように配置すると共に、
前記プラテンを記録媒体の厚みに応じて前記記録手段に対して接近／離間方向に移動するように構成したことを特徴とする記録装置。
【請求項３】
前記プラテンは、前記記録手段に対して接近／離間方向に且つ記録媒体支持面が搬送方向と平行に移動するようにプラテン支持台に案内支持され、付勢部材によって前記ガイド部材の方向に付勢されていることを特徴とする請求項２に記載の記録装置。
【請求項４】
前記プラテンは、搬送方向に交差する方向に沿って複数に分割されていることを特徴とする請求項２または３に記載の記録装置。
【請求項５】
前記プラテンは、前記記録領域よりも下流側に設けられた回転中心を中心にして前記記録手段に対して接近／離間方向に回転移動可能であり、付勢部材によって前記ガイド部材の方向に付勢されていることを特徴とする請求項２に記載の記録装置。
【請求項６】
前記プラテンの凸部と前記ガイド部材との間には隙間が設けられており、記録媒体の厚みが前記隙間以下である場合には該記録媒体は前記隙間内を搬送され、記録媒体の厚みが前記隙間以上である場合には該記録媒体は前記プラテンを付勢部材の付勢力に抗して前記ガイド部材から離れる方向に回転移動させることを特徴とする請求項５に記載の記録装置。
【請求項７】
前記プラテンは、記録媒体の搬送領域外の少なくとも１ヶ所に前記ガイド部材との突き当て部を有し、該突き当て部を前記ガイド部材に突き当てることによって前記プラテンの凸部と前記ガイド部材との間に隙間を設けたことを特徴とする請求項６に記載の記録装置。
【請求項８】
前記記録領域よりも下流側に記録媒体を挟持搬送するローラ対を配置し、該ローラ対のニップ位置が前記プラテンの複数の凸部の頂点の位置と搬送方向同一直線上に並ぶように配置したことを特徴とする請求項２に記載の記録装置。
【請求項９】
前記記録領域よりも下流側で且つ前記プラテンの凸部間に対応する位置に、前記弾性部材と同様にして、記録媒体を前記プラテン側に押さえるように弾性的に支持された回転可能なローラを配置したことを特徴とする請求項２に記載の記録装置。
【請求項１０】
請求項８記載のローラ対のうちの記録媒体の記録面側のローラ及び請求項９記載のローラは、記録媒体との接触面積が小さく、記録後の記録面に接触しても該記録媒体の記録像を乱すことがないように構成したことを特徴とする記録装置。
【請求項１１】
前記プラテン上に設けられた複数の凸部の高さは２種類以上であることを特徴とする請求項２に記載の記録装置。
【請求項１２】
前記弾性部材は、前記プラテンの凸部間の搬送方向と交差する方向における略中央位置に配置されていることを特徴とする請求項２に記載の記録装置。
【請求項１３】
記録手段が信号に応じてインクを吐出して記録を行うインクジェット記録方式であることを特徴とする請求項２ないし１２のいずれか１項に記載の記録装置。
【請求項１４】
前記記録領域よりも下流側に記録媒体を挟持搬送するローラ対を配置し、該ローラ対のニップ位置が前記プラテンの複数の凸部の頂点の位置と搬送方向同一直線上に並ぶように配置したことを特徴とする請求項１に記載のインクジェット記録装置。
【請求項１５】
請求項１４に記載のローラは、記録媒体との接触面積が小さく、記録後の記録面に接触しても該記録媒体の記録像を乱すことがないように構成したことを特徴とするインクジェット記録装置。
【請求項１６】
前記弾性部材は、前記プラテンの凸部間の搬送方向と交差する方向における略中央位置に配置されていることを特徴とする請求項１に記載のインクジェット記録装置。
【発明の詳細な説明】
【０００１】
【発明の属する技術分野】
本発明は記録手段によって記録媒体に記録を行う記録装置に関し、詳細には、例えばインクジェット方式のプリンタ等の記録装置に関するものである。
【０００２】
【従来の技術】
従来、インクジェット方式の記録装置において、鮮明で高品位な印字結果を得るためには、様々な条件の記録媒体（インクの付与によってコックリングを発生している記録媒体や、元々の湿気等によりカールを発生している記録媒体）に対しても、プラテンから記録ヘッドの方向への紙浮きを防止しつつ、記録媒体の表面と記録ヘッドとの間隔（以下、「紙間」という）をできるだけ狭く設定する必要がある。
【０００３】
これらを実現する装置の第１の従来例としては、特開平４−６９２６４号公報等に記載されているように、記録媒体の搬送方向上流部をプラテン側に紙押さえ部材で押し付ける構成がある。また第２の従来例としては、特開昭６１−９５９６６号公報に記載されているように、プラテンに複数の小径の穴を設け、負圧発生手段を用いて発生させた吸引力により記録媒体をプラテンに密着させる構成が知られている。
【０００４】
【発明が解決しようとする課題】
しかしながら、上記第１の従来例のように、印字範囲の上流部を紙押さえ部材でプラテンに押し付ける構成では印字範囲が狭く、しかも記録媒体をプラテン側に押し付けている位置（印字領域よりも搬送方向上流部）から、該記録媒体が次に押し付けられる位置（例えば排紙ローラ対）までの距離が短い場合には有効な手段であったが、印字ヘッドの印字幅が広く、次に押し付けられる位置までの距離が長い場合には、押し付けている位置から離れるほど、その効果が薄れ、コックリングや紙浮きが発生しやすかった。特に記録画像が高濃度の場合、多量のインクが記録媒体に打ち込まれ、大きなコックリングが発生し、印字ヘッドに接触して画像を乱したり、ヘッドの目詰まりを発生することになるため、紙間を広めに設定しておく必要があった。
【０００５】
また、上記第２の従来例では、負圧発生手段を用いて記録媒体を吸引するため、装置が大掛かりになり、コストが高く、また吸気／排気音が大きいという問題があった。更にサイズの異なる記録媒体を用いる場合、それぞれのサイズに合わせて、記録媒体が覆わないプラテン上の小径の穴を封止する手段を新たに設けなければ、所望の吸引力を得ることができないという問題があった。
【０００６】
そこで、本発明の目的は、低コスト且つ簡単な構成で、記録媒体の状態（コックリング、カール等）にかかわらず、該記録媒体の記録ヘッド側への紙浮きを防止することにある。
【０００７】
【課題を解決するための手段】
上記目的を達成するための本発明の代表的な構成は、インクジェット記録手段を用いて記録領域に配される記録媒体に記録を行うインクジェット記録装置において、前記インクジェット記録手段と対向する位置に設けられ、前記インクジェット記録手段と対向する面に記録媒体搬送方向と同方向に伸びるように設けられた複数のリブで形成される凹凸によって、前記記録媒体搬送方向と交差する方向に前記記録媒体に凹凸形状を付与するプラテンと、前記記録領域より前記リブの間の凹部の記録媒体搬送方向上流側に前記プラテン側へ向けて設けられ、搬送される記録媒体の剛性に応じて弾性変形する弾性部材と、を有し、搬送される記録媒体が普通紙のときは、前記弾性部材で該記録媒体を前記凹部に付勢することによりインクジェット記録により膨潤して発生する波打ち形状が前記インクジェット記録手段側へ浮き上がることを防止し、搬送される記録媒体が専用紙のときは、前記弾性部材が弾性変形することにより該記録媒体の波打ち量を小さくすることを特徴とする。
【０００８】
上記構成によれば、記録領域よりも上流側で且つ記録媒体の記録面側で、記録媒体を前記プラテン側に押さえるように該記録媒体の剛性に応じて弾性変形する弾性部材を、記録手段の対向位置において記録媒体を案内支持するプラテンの凸部間の対向位置に且つ前記凸部間に入り込むように配置しているので、少なくとも記録領域において記録媒体を波打ち形状にし、該記録媒体にコシを付与することができ、これにより、例えばカールしている記録媒体を記録手段側に浮かなくすることが可能となる。
【０００９】
また、弾性部材を用いているので、コックリングの成長、即ち記録媒体の剛性の低下にあわせて該記録媒体を確実にプラテンの凸部間側に押さえ込むことができ、記録手段との接触を防げるので、記録媒体の記録面と記録手段との間隔を狭く設定することが可能となる。
【００１０】
しかも記録媒体の剛性によって波打ちの付与量が異なるので、例えば、コックリングが発生しやすい薄手の記録媒体である普通紙等は大きめの波打ちを付与でき、コックリングを確実にプラテンの凸部間に押さえ込むことができる。また、より高品位な記録結果が要求され、コックリングがほとんど発生しない厚手の記録媒体である専用紙等では、紙自体の剛性が強いので波打ち量が少なくなる分、記録媒体の記録面と記録手段との間隔が狭くなり高品位な記録結果を得ることが可能となる。
【００１１】
【発明の実施の形態】
以下、図面を参照して、本発明を適用した記録装置の実施の形態について具体的に説明する。
【００１２】
〔第１実施形態〕
第１実施形態に係る記録装置について図面を用いて詳しく説明する。まず、図１及び図２を用いて本記録装置の概略構成について説明する。図１は本実施形態に係る記録装置の記録部周辺の断面図、図２は概略斜視図である。
【００１３】
図１において、１は記録手段としての記録ヘッドであり、記録媒体にインク像を記録するものである。この装置における記録手段としては、記録ヘッドからインクを吐出して記録するインクジェット記録方式を用いている。
【００１４】
前記記録ヘッド１は、キャリッジ２に着脱自在に搭載されている。このキャリッジ２はガイドレール３に摺動自在に支持され、且つキャリッジ２から突出したガイドコロ４が支持レール５に摺動回転可能に支持されている。従って、前記キャリッジ２が、不図示のキャリッジモータによりタイミングベルト６を介してガイドレール３と支持レール５上を走査し、該キャリッジ２に搭載された記録ヘッド１から記録媒体の所定位置にインク滴を付与して記録を行う。
【００１５】
一方、記録媒体７は不図示の給紙機構により、不図示のモータにより駆動される上流側搬送ローラ８と、該上流側搬送ローラ８に付勢バネ11によって圧接され従動回転するレジストローラ９とで形成されるレジストローラ対10のニップ位置まで給紙され、斜行等を矯正された後、該レジストローラ対10の回転により前記記録ヘッド１の記録領域に搬送される。
【００１６】
そして、記録ヘッド１の記録領域下流には、記録領域を通過した記録媒体７を不図示の排紙トレイに排出する下流側搬送ローラ12と、該下流側搬送ローラ12に付勢バネ15よって圧接され従動回転する拍車13が設けられており、排紙ローラ対14を形成している。
【００１７】
尚、ここで拍車とは、記録媒体との接触面積が小さく、記録後の記録面に接触しても該記録媒体の記録像を乱すことがないように構成したものである。
【００１８】
次に記録領域近傍の構成について説明する。図１及び図２に示すように、記録ヘッド１の記録領域上流には弾性部材取付板16が設けられている。記録ヘッド１の対向位置には、記録媒体７を案内支持するプラテン19が配置されており、該プラテン19には記録媒体７の搬送方向と平行な方向に伸びる凸部であるリブ18が記録媒体搬送方向と交差する幅方向に複数形成されている。このプラテン19は装置本体に固定されている。また、記録媒体７を前記プラテン19側に押さえるように該記録媒体７の剛性に応じて弾性変形する弾性部材23は、記録ヘッド１の記録領域上流で且つ記録媒体７の記録面側に搬送方向と交差する幅方向に複数配置され、前記プラテン19のリブ18間に対向するように前記弾性部材取付板16に両面テープ22を介して貼り付けられ、且つ前記リブ18間に侵入するように配置されている。従って、記録媒体７は、リブ18とリブ18間に侵入した弾性部材23により、リブ18部分で頂点となり、リブ18間で谷となる波打ち形状となる。これにより、少なくとも記録ヘッド１の記録領域において記録媒体７にコシが付与されるので、例えばカールしている記録媒体であっても記録ヘッド側に浮かなくすることが可能となる。
【００１９】
尚、本実施形態では、前記弾性部材23は、前記プラテン19のリブ18間の搬送方向と交差する方向における略中央位置に配置されている。また本実施形態では、弾性部材23は、シート状のＰＥＴフィルムを加工したもの若しくは金属の薄板を使用している。
【００２０】
次に、図３及び図４を用いて記録前後の記録媒体の挙動について、特にコックリングが発生しやすい薄手の記録媒体である普通紙を例にとって説明する。図３及び図４は図１におけるＡ矢視図であり、図３は記録前の普通紙の状態を示し、図４は記録後にコックリングが発生した普通紙の状態を示したものである。
【００２１】
普通紙24は、レジストローラ対10により搬送され、プラテン19のリブ18間に侵入するように配置された弾性部材23によって、プラテン19のリブ18で頂点となり、リブ18間で谷となる緩やかな波打ち形状が付与される。ここでの波打ち量（Ｘ）は、普通紙24の剛性と弾性部材23の弾性力によって決まる。
【００２２】
この時の普通紙24の波打ち量（Ｘ）は、0.1 〜0.3 ｍｍ程度であり、記録する際の紙面への吐出精度はほとんど無視できる程度である。即ち、記録品位を低下させるものではない。また、図４に示すように、弾性部材23によって普通紙24は確実にプラテンリブ18に沿う形になるため、記録品位を左右する紙間はプラテンリブ18と記録ヘッド１の寸法を管理するだけで良いこととなる。また、普通紙24の先端がプラテンリブ18から浮いて、記録ヘッド１を擦ったりすることもなくなる。
【００２３】
次に、普通紙24に主な溶媒として水を用いた記録インクが打ち込まれると、普通紙24は水分を吸収することにより膨潤し、コックリングが発生する。ここで本実施形態では、弾性部材23により普通紙24をリブ18間に下向きに付勢しているため、コックリングは確実に下向きに発生し、図４におけるコックリングの発生した普通紙25のように、波打ち量（Ｘ）から（Ｘ＋Δｘ）へと増加することで、紙の膨潤を吸収し、記録ヘッド１側に浮き上がるのを防止できる。しかも記録インクの打ち込み量、即ち紙の剛性の低下に合わせて、徐々にコックリング高さ（Δｘ）が増加するので、必要以上に紙間が広がることがなく、高品位な記録結果を得ることが可能となる。
【００２４】
また排紙ローラ対14をプラテン19上に設けたリブ18の下流に設け、プラテン19の凹凸と略同一の断面を持たせるように配置（排紙ローラ対14のニップ位置がプラテンリブ18の頂点の位置と搬送方向同一直線上に並ぶように配置）しているので、弾性部材23によって付与された波打ちや、発生したコックリングが排紙ローラ対14によって乱されることがない。
【００２５】
しかも、より高品位な記録結果が要求され、コックリングがほとんど発生しない厚手の記録媒体である専用紙（厚紙）26では、紙自体の剛性が強いので、図５に示すように弾性部材23が弾性変形させられ、波打ち量（Ｙ）が少なくなる。その分、紙間が狭くなり、より高品位な記録結果を得ることが可能になる。
【００２６】
また、雰囲気環境による記録媒体のカールの問題がある。これは、雰囲気環境、特に急激な湿度変化に関係し、高湿度な環境においては記録媒体が吸湿し膨潤するために発生し、逆に低湿度の場合にもそれまで含有されていた水分が記録媒体の外に放出されるために記録媒体の収縮が発生し、カールとなるが、本実施形態では、前述の如くして記録媒体に波打ちを施すことにより、記録媒体にコシの強さが与えられると同時に、記録媒体のカールも矯正されるので、記録ヘッド側に浮くことを防止できる。
【００２７】
〔第２実施形態〕
第２実施形態に係る記録装置について図面を用いて詳しく説明する。まず、図６及び図７を用いて本記録装置の概略構成について説明する。図６は本実施形態に係る記録装置の記録部周辺の断面図、図７は概略斜視図である。
【００２８】
図６において、１は記録手段としての記録ヘッドであり、記録媒体にインク像を記録するものである。この装置における記録手段としては、記録ヘッドからインクを吐出して記録するインクジェット記録方式を用いている。
【００２９】
前記記録ヘッド１は、キャリッジ２に着脱自在に搭載されている。このキャリッジ２はガイドレール３に摺動自在に支持され、且つキャリッジ２から突出したガイドコロ４が支持レール５に摺動回転可能に支持されている。従って、前記キャリッジ２が、不図示のキャリッジモータによりタイミングベルト６を介してガイドレール３と支持レール５上を走査し、該キャリッジ２に搭載された記録ヘッド１から記録媒体の所定位置にインク滴を付与して記録を行う。
【００３０】
一方、記録媒体７は不図示の給紙機構により、不図示のモータにより駆動される上流側搬送ローラ８と、該上流側搬送ローラ８に付勢バネ11によって圧接され従動回転するレジストローラ９とで形成されるレジストローラ対10のニップ位置まで給紙され、斜行等を矯正された後、該レジストローラ対10の回転により前記記録ヘッド１の記録領域に搬送される。
【００３１】
そして、記録ヘッド１の記録領域下流には、記録領域を通過した記録媒体７を不図示の排紙トレイに排出する下流側搬送ローラ12と、該下流側搬送ローラ12に付勢バネ15よって圧接され従動回転する拍車13が設けられており、排紙ローラ対14を形成している。
【００３２】
尚、ここで拍車とは、記録媒体との接触面積が小さく、記録後の記録面に接触しても該記録媒体の記録像を乱すことがないように構成したものである。
【００３３】
次に記録領域近傍の構成について説明する。図６及び図７に示すように、記録ヘッド１の記録領域上流には記録媒体７をガイドしその上面規制を行うガイド部材としての紙押さえ板28が設けられ、記録媒体７の記録面と記録ヘッド１の間隔（以下、「紙間」という）を所定間隔にする位置に固定されている。記録ヘッド１の対向位置には、記録媒体７を案内支持するプラテン19が配置されており、該プラテン19には記録媒体７の搬送方向と平行な方向に伸びる凸部であるリブ18が記録媒体搬送方向と交差する方向に複数形成されている。このプラテン19はプラテン支持台20に案内支持されており、プラテン19の摺動面19ａがプラテン支持台20のプラテン案内面20ａに案内されることにより矢印Ｄ方向に移動する。プラテン19とプラテン支持台20の間には付勢部材としてのプラテンバネ21が掛けられている。このプラテンバネ21は、プラテン19の摺動面19ａをプラテン支持台20のプラテン案内面20ａに倣わすとともに、プラテン19の記録媒体支持面を搬送方向と平行に移動させ、記録媒体７の記録面を紙押さえ板28へ圧接し、記録媒体７の厚みによらず、紙間を一定に保持するための付勢力を発生する。また、記録媒体７を前記プラテン19側に押さえるように該記録媒体７の剛性に応じて弾性変形する弾性部材23は、記録ヘッド１の記録領域上流で且つ記録媒体７の記録面側に搬送方向と交差する幅方向に複数配置され、前記プラテン19のリブ18間に対向するように前記紙押さえ板28に両面テープ22を介して貼り付けられ、且つ前記リブ18間に侵入するように配置されている。従って、記録媒体７は、リブ18とリブ18間に侵入した弾性部材23により、リブ18部分で頂点となり、リブ18間で谷となる波打ち形状となる。これにより、少なくとも記録ヘッド１の記録領域において記録媒体７にコシが付与されるので、例えばカールしている記録媒体であっても記録ヘッド側に浮かなくすることが可能となる。
【００３４】
尚、本実施形態では、前記プラテン19は、図７に示すように搬送方向に交差する方向に沿って複数に分割され、各々にプラテンバネ21が掛けられている。従って、記録媒体７の幅寸法（搬送方向と交差する方向の寸法）の違いにかかわらず、記録媒体７を確実に紙押さえ板28へ圧接することができる。
【００３５】
次に、図８及び図９を用いて記録前後の記録媒体の挙動について、特にコックリングが発生しやすい薄手の記録媒体である普通紙を例にとって説明する。図８及び図９は図６におけるＡ矢視図であり、図８は記録前の普通紙の状態を示し、図９は記録後にコックリングが発生した普通紙の状態を示したものである。
【００３６】
普通紙24の先端が、レジストローラ対10により搬送され、紙押さえ板28とプラテン19のリブ18間に侵入する際に、普通紙24の厚みの分だけプラテン19が記録ヘッド１に対し平行に押し下げられ、普通紙24と記録ヘッド１との間隔が所定の間隔に保持される。同時に、プラテン19のリブ18間に侵入するように配置された弾性部材23によって、普通紙24はプラテン19のリブ18で頂点となり、リブ18間で谷となる緩やかな波打ち形状が付与される。ここでの波打ち量（Ｘ）は、普通紙24の剛性と弾性部材23の弾性力によって決まる。
【００３７】
次に、普通紙24に主な溶媒として水を用いた記録インクが打ち込まれると、普通紙24は水分を吸収することにより膨潤し、コックリングが発生する。ここで本実施形態では、弾性部材23により普通紙24をリブ18間に下向きに付勢しているため、コックリングは確実に下向きに発生し、図９におけるコックリングの発生した普通紙25のように、波打ち量（Ｘ）から（Ｘ＋Δｘ）へと増加することで、紙の膨潤を吸収し、記録ヘッド１側に浮き上がるのを防止できる。しかも記録インクの打ち込み量、即ち紙の剛性の低下に合わせて、徐々にコックリング高さ（Δｘ）が増加するので、必要以上に紙間が広がることがなく、高品位な記録結果を得ることが可能となる。
【００３８】
また排紙ローラ対14をプラテン19上に設けたリブ18の下流に設け、プラテン19の凹凸と略同一の断面を持たせるように配置（排紙ローラ対14のニップ位置がプラテンリブ18の頂点の位置と搬送方向同一直線上に並ぶように配置）しているので、弾性部材23によって付与された波打ちや、発生したコックリングが排紙ローラ対14によって乱されることがない。
【００３９】
しかも、より高品位な記録結果が要求され、コックリングがほとんど発生しない厚手の記録媒体である専用紙26では、紙自体の剛性が強いので、図10に示すように弾性部材23が弾性変形させられ、波打ち量（Ｙ）が少なくなる。その分、紙間が狭くなり、より高品位な記録結果を得ることが可能になる。
【００４０】
また、雰囲気環境による記録媒体のカールの問題がある。これは、雰囲気環境、特に急激な湿度変化に関係し、高湿度な環境においては記録媒体が吸湿し膨潤するために発生し、逆に低湿度の場合にもそれまで含有されていた水分が記録媒体の外に放出されるために記録媒体の収縮が発生し、カールとなるが、本実施形態では、前述の如くして記録媒体に波打ちを施すことにより、記録媒体にコシの強さが与えられると同時に、記録媒体のカールも矯正されるので、記録ヘッド側に浮くことを防止できる。
【００４１】
尚、本実施形態では、プラテン19上に設けられたリブ18の高さが全て同一の高さの場合を説明したが、これに限定されるものではなく、前記プラテン19上に設けられた複数のリブ18の高さが２種類以上ある構成、例えば図11及び図12に示すように、リブ18よりも低い補助リブ18ａを配置した構成としても良い。
【００４２】
図11は記録前の普通紙24ａの状態を表し、図12は記録後にコックリングが発生した普通紙25ａの状態を表すものである。特にコックリングが大きく発生する薄手の記録媒体である普通紙等は、リブ18間だけで紙の膨潤を吸収しようとした場合、１つ１つのコックリングが大きくなり、記録ヘッド１との間隔（紙間）が広がってしまう。これを防止するために、リブ18のピッチ（搬送方向と交差する方向の間隔）を狭くし、１つ１つのコックリングを小さくしようとすると、記録前の状態において、本来フラットであろうとする記録媒体に矛盾が生じてしまい、いくつかのリブ18間で谷が形成できず、逆に記録ヘッド側に突出する山が発生してしまうことが実験で確認されている。そこで、このような記録媒体においてもコックリングを低く押さえるために、リブ18よりも高さの低い補助リブ18ａをリブ18間に配置した構成としている。この構成にすることで、記録前の状態では普通紙24ａは補助リブ18ａに触れず、リブ18間で谷となる波打ち形状が付与される（図11参照）。次に記録後は普通紙25ａの膨潤はリブ18間で分散し、更に補助リブ18ａに当接し、リブ18ａと補助リブ18ａ間にも波打ち（コックリング）が発生するので、１つ１つのコックリングを低く押さえることが可能となる（図12参照）。
【００４３】
また、本実施形態においては、弾性部材23の紙押さえ板28への取り付けを、両面テープ22によって行う例を記載したが、これに限定されるものではなく、同様の構成が得られる、例えば接着や別部材を使用した組み付けとしても良い。
【００４４】
〔第３実施形態〕
第３実施形態に係る記録装置について図面を用いて詳しく説明する。図13は本実施形態に係る記録装置の記録部周辺を示す概略斜視図、図14は図13におけるＡ矢視図である。尚、前述した実施形態と同一部材には同一符号を付し、説明を省略する。
【００４５】
本実施形態では、図13及び図14に示すように、記録ヘッド１の記録領域下流に、前記弾性部材23がプラテンリブ18間に侵入するのと同じ量だけ、下流側搬送ローラ（排紙ローラ）12間に侵入するように拍車27を設けた。尚、ここで拍車とは、記録媒体との接触面積が小さく、記録後の記録面に接触しても該記録媒体の記録像を乱すことがないように構成したものである。この拍車27は、記録媒体の搬送に従動回転するように支持され、不図示の付勢手段により記録媒体の剛性の強弱に合わせて、記録ヘッド１の方向へ移動可能な状態に付勢されている。これにより、記録ヘッド１の記録領域下流において、拍車27が弾性部材23と同じ役割を果たす。従って、記録媒体に対して記録領域の上流と下流で波打ち形状を付与することが可能となるとともに、リブ18間で確実にコックリングを下向きに発生させることができる。
【００４６】
また、記録媒体の後端が紙押さえ板28及び弾性部材23を通過した後も、各排紙ローラ対14間の拍車27によって波打ち形状を付与し続けることができるので、該記録媒体の後端が記録ヘッド側に浮くことを防止できる。
【００４７】
〔第４実施形態〕
第４実施形態に係る記録装置について図面を用いて詳しく説明する。まず、図15及び図16を用いて本記録装置の概略構成について説明する。図15は本実施形態に係る記録装置の記録部周辺の断面図、図16は概略斜視図である。
【００４８】
図15において、１は記録手段としての記録ヘッドであり、記録媒体にインク像を記録するものである。この装置における記録手段としては、記録ヘッドからインクを吐出して記録するインクジェット記録方式を用いている。
【００４９】
前記記録ヘッド１は、キャリッジ２に着脱自在に搭載されている。このキャリッジ２はガイドレール３に摺動自在に支持され、且つキャリッジ２から突出したガイドコロ４が支持レール５に摺動回転可能に支持されている。従って、前記キャリッジ２が、不図示のキャリッジモータによりタイミングベルト６を介してガイドレール３と支持レール５上を走査し、該キャリッジ２に搭載された記録ヘッド１から記録媒体の所定位置にインク滴を付与して記録を行う。
【００５０】
一方、記録媒体７は不図示の給紙機構により、不図示のモータにより駆動される上流側搬送ローラ８と、該上流側搬送ローラ８に付勢バネ11によって圧接され従動回転するレジストローラ９とで形成されるレジストローラ対10のニップ位置まで給紙され、斜行等を矯正された後、該レジストローラ対10の回転により前記記録ヘッド１の記録領域に搬送される。
【００５１】
そして、記録ヘッド１の記録領域下流には、記録領域を通過した記録媒体７を不図示の排紙トレイに排出する下流側搬送ローラ12と、該下流側搬送ローラ12に付勢バネ15よって圧接され従動回転する拍車13が設けられており、排紙ローラ対14を形成している。
【００５２】
尚、ここで拍車とは、記録媒体との接触面積が小さく、記録後の記録面に接触しても該記録媒体の記録像を乱すことがないように構成したものである。
【００５３】
次に記録領域近傍の構成について説明する。図15及び図16に示すように、記録ヘッド１の記録領域上流には記録媒体７をガイドしその上面規制を行うガイド部材としての厚紙規制部材29が設けられ、記録媒体７の記録面と記録ヘッド１の間隔（以下、「紙間」という）を所定間隔にする位置に固定されている。この厚紙規制部材29は、プラテンリブ18と対向する位置に規制ガイド面29ｃを有しており、該規制ガイド面29ｃ間に後述する弾性部材23が配置されている。この厚紙規制部材29の長手方向両側（記録媒体の搬送領域外）には、プラテン19との突き当てを行うための突き当て面29ａ，29ｂが設けられている。
【００５４】
19はプラテンであり、図15及び図16に示すように、記録領域下流で且つ記録媒体の記録面側に本体シャーシ（不図示）と回動可能に支持するための回動軸19ｃ，19ｄが設けられている。更に一端を本体シャーシに他端をプラテン19に圧接させた付勢部材としての圧縮バネ30が設けられ、該圧縮バネ30はプラテン19を図15の矢印ｅ方向に付勢している。またプラテン19の長手方向両側（記録媒体の搬送領域外）には、それぞれ厚紙規制部材29との突き当てを行うための突き当て部であるエンボス19ｅ，19ｆが設けられている。従って、前述した圧縮バネ30によって上方向（矢印ｅ方向）に押圧されたプラテン19は、エンボス19ｅ，19ｆが厚紙規制部材29の突き当て面29ａ，29ｂに突き当たることによって位置が決まることになる。
【００５５】
図17にプラテン19と厚紙規制部材29の位置関係を表す部分拡大図を示す。図17に示すように、プラテン19のエンボス19ｅ，19ｆは厚紙規制部材29の突き当て面29ａ，29ｂによって位置が決まるため、プラテンリブ18と厚紙規制部材29の規制ガイド面29ｃとの間には隙間ｈを一定にして設けることが可能となる。本実施形態では、隙間ｈを0.2 〜0.3 ｍｍ程度としており、この隙間ｈの寸法によって薄紙（薄手の記録媒体）と厚紙（厚手の記録媒体）の記録面の調整を行っているが、動作については後述する。尚、厚紙規制部材29の取付面29ｄには前述した実施形態と同様の弾性部材23がリブ18間に侵入するように両面テープ等により取り付けられている。
【００５６】
次に記録領域周辺部の動作について説明する。前述した実施形態と同様に、まず薄手の記録媒体である普通紙に記録を行う場合について説明する。ここで通常、普通紙の厚みｔは0.1 〜0.15ｍｍ程度である。この普通紙24は、前述した実施形態と同様にして、レジストローラ対10により斜行の矯正等が行われた後、プラテン19のリブ18上に搬送されるが、その際の様子を図18（ａ）に示す。
【００５７】
図18（ａ）に示すように、普通紙24は弾性部材23の弾性力に反してプラテンリブ18上に搬送される。この時、前述した実施形態と同様に、リブ18で頂点となり、リブ18間で谷となる緩やかな波打ちが形成されるが、その波打ち量は普通紙24の剛性と弾性部材23の弾性力によって決まる。
【００５８】
またプラテン19のリブ18と厚紙規制部材29の規制ガイド面29ｃとの間には、前述の如き隙間（ｈ＝0.2 〜0.3 ｍｍ程度）があるため、この隙間ｈに普通紙24が搬送されることとなり、プラテン19は初期位置と同じ位置にいることになる。即ち、前述した実施形態と同様に、普通紙24はプラテン19のリブ18上に沿うようになり、記録媒体７の記録面と記録ヘッド１の間隔（以下、「紙間」という）はプラテン19のリブ18面で決まることになる。その後、波打ち形状が付与された普通紙24には記録がなされ、その際のコックリング等については前述した実施形態と同様であるため、ここでは説明を省略する。
【００５９】
尚、記録品位が更に要求される特殊紙の場合でも厚みｔは0.2 ｍｍ以下となるため、前記プラテン19は下がらず、初期位置にいることになる。
【００６０】
次に、厚手の記録媒体である厚紙（封筒等）を通紙する場合について説明する。図18（ｂ）に厚紙を通紙した場合を示す。この時、厚紙の厚みｔは0.3 ｍｍ以上としている。
【００６１】
図18（ｂ）に示すように、厚紙26を通紙した場合には、該厚紙26は弾性部材23を弾性変形させるとともに、厚紙規制部材29の規制ガイド面29ｃによってその上面が規制されるため、プラテン19が回動軸19ｃ，19ｄを中心にして下方向（記録ヘッド１から離れる方向）に下がるように回転移動することとなる。この際、厚紙26とプラテンリブ18と間で摩擦力Ｆが発生するが、回転中心である回動軸19ｃ，19ｄを図の位置（記録領域よりも下流）にすることにより、モーメントＭ（Ｍ＝Ｆ・Ｌ）が発生し、その摩擦力Ｆによってプラテン19を圧縮バネ30の力に抗して下方向に押し下げることができる。尚、この圧縮バネ30の力は、記録媒体の厚みｔが隙間ｈ以上である場合であっても、該記録媒体の記録面と記録ヘッドとの間隔が所定間隔に保持されるように設定されている。
【００６２】
以上説明したように、本実施形態によれば、プラテンリブ18と厚紙規制部材29との間に適当な隙間ｈを設け、且つプラテン19を記録媒体の厚みに応じて記録ヘッド１に対して接近／離間方向に移動するように構成しているので、記録品位を要求される普通紙や特殊紙ではプラテン19のリブ18によって紙間を決めることができ、厚紙についてはプラテン19が、厚紙の侵入により下がるので、ヘッドこすれ等を防止することができる。
【００６３】
またプラテン19のリブ18と厚紙規制部材29の規制ガイド面29ｃとの間の隙間ｈについては、プラテンと厚紙規制部材の２部品のみによって寸法が決まるため、位置精度もだしやすくなる。
【００６４】
更に普通紙におけるコックリングについても、前述した実施形態と同様の効果を得ることができる。
【００６５】
〔他の実施形態〕
前述した実施形態では、プラテンを記録媒体の厚みに応じて記録手段に対して接近／離間方向に移動する構成として、前記プラテン19を記録媒体支持面が搬送方向と平行に移動するようにプラテン支持台20で案内支持し、プラテンバネ21によって紙押さえ板28の方向に付勢した構成、或いは前記プラテン19を記録領域下流に設けた回動軸19ｃ，19ｄを中心にして記録ヘッド１に対して接近／離間方向に回転移動可能にし、圧縮バネ30によって厚紙規制部材29の方向に付勢した構成を例示したが、これに限定されるものではない。例えば、プラテンを搬送方向と直交する方向（記録手段に対して接近／離間方向）に移動するようにガイド部材で案内支持し、付勢部材によって記録手段の方向に付勢した構成としても同様の効果が得られる。
【００６６】
また前述した実施形態では、前記プラテンの凸部と前記ガイド部材との間に隙間を設ける構成として、前記プラテン19の記録媒体の搬送領域外の両側に厚紙規制部材29へのエンボス19ｅ，19ｆを設け、該エンボス19ｅ，19ｆを前記厚紙規制部材29の突き当て面29ａ，29ｂに突き当てることで前記隙間ｈを設ける構成を例示したが、これに限定されるものではない。例えば、前記プラテン19から回動軸19ｃ，19ｄに至るまでのアーム部を回転規制するストッパ部を設けて前記隙間を形成するようにしても同様の効果が得られる。
【００６７】
【発明の効果】
以上説明したように、本発明によれば、記録領域よりも上流側で且つ記録媒体の記録面側で、記録媒体を前記プラテン側に押さえるように該記録媒体の剛性に応じて弾性変形する弾性部材を、記録手段の対向位置において記録媒体を案内支持するプラテンの凸部間の対向位置に且つ前記凸部間に入り込むように配置しているので、少なくとも記録領域において記録媒体を波打ち形状にし、該記録媒体にコシを付与することができ、これにより、例えばカールしている記録媒体を記録手段側に浮かなくすることができる。
【００６８】
また、弾性部材を用いているので、コックリングの成長、即ち記録媒体の剛性の低下にあわせて該記録媒体を確実にプラテンの凸部間側に押さえ込むことができ、記録手段との接触を防げるので、記録媒体の記録面と記録手段との間隔を狭く設定することができる。
【００６９】
しかも記録媒体の剛性によって波打ちの付与量が異なるので、例えば、コックリングが発生しやすい薄手の記録媒体である普通紙等は大きめの波打ちを付与でき、コックリングを確実にプラテンの凸部間に押さえ込むことができる。また、より高品位な記録結果が要求され、コックリングがほとんど発生しない厚手の記録媒体である専用紙等では、紙自体の剛性が強いので波打ち量が少なくなる分、記録媒体の記録面と記録手段との間隔が狭くなり高品位な記録結果を得ることができる。
【図面の簡単な説明】
【図１】第１実施形態に係る記録装置の記録部周辺の断面図
【図２】第１実施形態に係る記録装置の記録部周辺の概略斜視図
【図３】記録前の普通紙の状態を示す図１におけるＡ矢視図
【図４】記録後にコックリングが発生した普通紙の状態を示す図１におけるＡ矢視図
【図５】専用紙の状態を示す図１におけるＡ矢視図
【図６】第２実施形態に係る記録装置の記録部周辺の断面図
【図７】第２実施形態に係る記録装置の記録部周辺の概略斜視図
【図８】記録前の普通紙の状態を示す図６におけるＡ矢視図
【図９】記録後にコックリングが発生した普通紙の状態を示す図６におけるＡ矢視図
【図１０】専用紙の状態を示す図６におけるＡ矢視図
【図１１】リブ間に高さの異なる補助リブが設けられたプラテン上における記録前の普通紙の状態を表す図
【図１２】リブ間に高さの異なる補助リブが設けられたプラテン上における記録後にコックリングが発生した普通紙の状態を表す図
【図１３】第３実施形態に係る記録装置の記録部周辺の概略斜視図
【図１４】図１３におけるＡ矢視図
【図１５】第４実施形態に係る記録装置の記録部周辺の断面図
【図１６】第４実施形態に係る記録装置の記録部周辺の概略斜視図
【図１７】厚紙規制部材とプラテンとの関係を表す要部拡大図
【図１８】記録領域周辺部の動作状態を表す図
【符号の説明】
Ｘ    …波打ち量
１    …記録ヘッド
２    …キャリッジ
３    …ガイドレール
４    …ガイドコロ
５    …支持レール
６    …タイミングベルト
７    …記録媒体
８    …上流側搬送ローラ
９    …レジストローラ
10    …レジストローラ対
11    …付勢バネ
12    …下流側搬送ローラ
13    …拍車
14    …排紙ローラ対
15    …付勢バネ
16    …弾性部材取付板
18    …リブ
18ａ  …補助リブ
19    …プラテン
19ａ  …摺動面
19ｃ，19ｄ…回動軸
19ｅ，19ｆ…エンボス
20    …プラテン支持台
20ａ  …プラテン案内面
21    …プラテンバネ
22    …両面テープ
23    …弾性部材
24    …普通紙
24ａ  …普通紙
25    …普通紙
25ａ  …普通紙
26    …専用紙（厚紙）
27    …拍車
28    …紙押さえ板
29    …厚紙規制部材
29ａ，29ｂ…突き当て面
29ｃ  …規制ガイド面
29ｄ  …取付面
30    …圧縮バネ
【図１】
0003658159.tif 000002
【図２】
0003658159.tif 000003
【図３】
0003658159.tif 000004
【図４】
0003658159.tif 000005
【図５】
0003658159.tif 000006
【図６】
0003658159.tif 000007
【図７】
0003658159.tif 000008
【図８】
0003658159.tif 000009
【図９】
0003658159.tif 000010
【図１０】
0003658159.tif 000011
【図１１】
0003658159.tif 000012
【図１２】
0003658159.tif 000013
【図１３】
0003658159.tif 000014
【図１４】
0003658159.tif 000015
【図１５】
0003658159.tif 000016
【図１６】
0003658159.tif 000017
【図１７】
0003658159.tif 000018
【図１８】
0003658159.tif 000019